(57)【要約】【課題】信号の識別コードが異なる調理機器と換気装置との組み合わせであっても、簡単に識別コードを一致させることができ、据付後すぐに使用可能となる換気システム等を提供する。【解決手段】換気システム１においては、調理器具２が備える発信部１０から発信される信号の識別コードＡ0が、換気装置３が備える受信部１５が受信可能な信号の識別コードＡxと異なる。マイクロホン８は換気装置３の換気扇１１が回転時に発生する音を検知し、当該検知信号を信号変換装置５に送信する。受信部１５が受信可能な識別コードＡxが信号変換装置５とマイクロホン８の作用によって候補の識別コードＡn（ｎ＝１，２，３，・・・）の中から自動的に選抜及び決定される。その後、信号変換装置５は受信した信号の識別コードＡ0を全て決定した識別コードＡxに変換する。【選択図】図１
2008025964.tif 000002
【特許請求の範囲】
【請求項１】
調理器具と、当該調理器具に連動して動作する換気装置とを備えた換気システムであって、前記調理器具は所定の識別コードを含む信号であって且つ調理器具の運転状況に応じた信号を発信可能な発信部を有し、前記換気装置は前記調理器具が発信する信号の識別コードとは異なる特定の識別コードを含む信号のみを受信可能な受信部を有し、前記換気システムは信号変換装置を有し、前記発信部から発信された信号は前記信号変換装置に受信され、当該信号変換装置は受信した信号の識別コードを他の識別コードに順次変換し且つ換気装置の受信部に対して識別コードが変換された信号を順次発信するものであり、前記換気システムは、換気装置の作動状態を検知して換気装置の作動時に検知信号を前記信号変換装置に送信可能な検知手段をさらに有し、前記信号変換装置は、前記検知手段からの検知信号に基づいて、順次変換した識別コードの中から受信部が受信可能な特定の識別コードを選抜及び決定可能であることを特徴とする換気システム。
【請求項２】
前記信号変換装置が前記発信部から発信された換気装置に対する運転開始信号を受信した際に、前記検知手段からの検知信号が信号変換装置に送信されない場合には、前記信号変換装置は、受信した運転開始信号の識別コードをさらに別の識別コードに変換した後、再び受信部に対して識別コードが変換された運転開始信号を発信し、その後、検知手段からの検知信号が信号変換装置に送信されるまで変換後の識別コードを順次変化させながら運転開始信号の発信を繰り返すことが可能であり、一方、前記検知手段からの検知信号が信号変換装置に送信された場合には、前記信号変換装置における変換後の識別コードが、検知手段からの検知信号が信号変換装置に送信された時点の特定の識別コードに決定され、その後、当該信号変換装置は、受信した信号の識別コードを当該特定の識別コードに変換し、特定の識別コードを含む信号を換気装置の受信部に対して発信可能であることを特徴とする請求項１に記載の換気システム。
【請求項３】
前記検知手段は、換気装置から発生される音を検知することにより換気装置の作動状態を検知するものであることを特徴とする請求項１又は２に記載の換気システム。
【請求項４】
前記換気装置はフードを有し、前記受信部は当該フードに設けられていることを特徴とする請求項１〜３のいずれか１項に記載の換気システム。
【請求項５】
前記調理器具は加熱手段を有し、前記発信部は当該加熱手段の運転状況に応じた信号を発信するものであることを特徴とする請求項１〜４のいずれか１項に記載の換気システム。
【請求項６】
前記発信部から発信される信号の識別コードと同一の識別コードを含む信号を発信するリモートコントローラをさらに備え、前記運転開始信号は当該リモートコントローラから発信可能であることを特徴とする請求項１〜５のいずれか１項に記載の換気システム。
【請求項７】
請求項１〜６のいずれか１項に記載の換気システムに用いられる信号変換装置であって、前記発信部から発信された信号を受信する信号変換装置第一受信部と、信号変換装置第一受信部で受信された信号の識別コードを他の識別コードに順次変換する制御部と、制御部で識別コードが変換された信号を換気装置の受信部に対して順次発信する信号変換装置発信部と、前記検知手段からの検知信号を受信する信号変換装置第二受信部とを有し、信号変換装置第二受信部で受信された検知信号に基づいて、制御部における変換後の識別コードを決定可能であることを特徴とする信号変換装置。
【発明の詳細な説明】
【技術分野】
【０００１】
本発明は換気システム及び信号変換装置に関し、さらに詳細には、調理器具に連動して動作する換気装置を備えた換気システム、及び当該換気システムに用いられる信号変換装置に関する。
【背景技術】
【０００２】
調理器具の使用時における高い安全性と操作性を実現すべく、従来より、調理器具に連動して動作する換気装置が開発されている。例えば、特許文献１には、ガスコンロ等を備えた加熱調理器具とその上方に位置する換気扇（換気装置）において、着火および消火操作を行うための加熱調理器具の操作レバーに連動して動作する換気扇が開示されている。特許文献２には、調理機器のスイッチ操作部の操作状態を赤外線等の信号で送信する送信部を調理機器に設け、当該送信部から送信される信号により排気装置（換気装置）の運転を制御する構成が開示されている。
【０００３】
一般に赤外線信号等の送受信により受信装置の制御を行う場合には、混線を防ぐために各信号に識別コードが付与されている。そして、信号の受信部は特定の識別コードを含む信号のみを受信する。ここで「識別コード」とは、例えば、テレビジョン受信機等の操作に利用されているリモートコントローラにおける、いわゆる「メーカーコード」が相当し、リモコン操作により他メーカーの機器や他種類の機器が誤動作を起こさないよう工夫されている。より詳しくは、例えば、赤外線信号の一構成要素である「カスタムコード」がメーカーの識別子であり、受信機器がこれを認識することにより、赤外線信号の混線が防止されている。このカスタムコードも識別コードに相当する。
【特許文献１】実公平６−２００３７号公報
【特許文献２】特開２００５−２２６８６０号公報
【発明の開示】
【発明が解決しようとする課題】
【０００４】
一般に、識別コードはメーカーごとに特定のものが付与されており、メーカーが異なれば識別コードも異なる。すなわち、信号の発信装置と受信装置のメーカーが異なると、受信装置が信号を受信することができず、受信装置は作動しない。上記した特許文献２に開示されている調理機器と換気装置の組み合わせにおいても、調理機器側の送信部から送信される信号の識別コードが、換気装置側の受信部によって認識されるものである必要がある。ところが、最近では調理機器と換気装置のメーカーが異なることもしばしばあり、この場合には信号の識別コードを合わせるために機器の再調整や部品交換が必要になり、煩雑で手間がかかる。
【０００５】
本発明の目的は、信号の識別コードが異なる調理機器と換気装置との組み合わせであっても、簡単に識別コードを一致させることができ、据付後すぐに使用可能となる換気システム等を提供することにある。
【課題を解決するための手段】
【０００６】
上記した課題を解決するための請求項１に記載の発明は、調理器具と、当該調理器具に連動して動作する換気装置とを備えた換気システムであって、前記調理器具は所定の識別コードを含む信号であって且つ調理器具の運転状況に応じた信号を発信可能な発信部を有し、前記換気装置は前記調理器具が発信する信号の識別コードとは異なる特定の識別コードを含む信号のみを受信可能な受信部を有し、前記換気システムは信号変換装置を有し、前記発信部から発信された信号は前記信号変換装置に受信され、当該信号変換装置は受信した信号の識別コードを他の識別コードに順次変換し且つ換気装置の受信部に対して識別コードが変換された信号を順次発信するものであり、前記換気システムは、換気装置の作動状態を検知して換気装置の作動時に検知信号を前記信号変換装置に送信可能な検知手段をさらに有し、前記信号変換装置は、前記検知手段からの検知信号に基づいて、順次変換した識別コードの中から受信部が受信可能な特定の識別コードを選抜及び決定可能であることを特徴とする換気システムである。
【０００７】
本発明の換気システムは、調理機器と当該調理器具に連動して動作する換気装置とを備えたものであり、調理機器からの各種信号により換気装置が作動するものである。そして、本発明の換気システムでは、調理機器の発信部が発信する信号の識別コードと換気装置の受信部が受信可能な識別コードとが異なる。そのため、換気装置は調理機器からの信号を直接受信することはできない。そこで、本発明の換気システムでは信号の識別コードを変換する信号変換装置を設けることにより、換気装置が調理機器からの信号を間接的に受信できる構成としている。さらに、本発明の換気システムでは、換気装置の作動状態を検知して換気装置の作動時に検知信号を信号変換装置に送信可能な検知手段をさらに有する。そのため、信号変換装置は調理器具からの信号の識別コードをどの識別コードに変換すべきかを、当該検知信号に基づいて、順次変換される識別コードの中から選抜及び決定できる。
【０００８】
本発明の換気システムは上記のような構成を採用したので、調理器具と換気装置のメーカーが異なる等の理由で発信側と受信側の識別コードが一致しない場合であっても、機器の再調整や部品交換を行うことなく使用可能な状態にすることができる。さらに、上記の検知信号に基づいて信号変換装置が変換すべき識別コードを選抜及び決定するので、簡単な操作で使用可能な状態にすることができる。
【０００９】
ここで「受信部が信号を受信する」とは、受信部が当該信号により何らかの指令を受け取ることを意味し、単に信号が受信部に「当たる」ことを意味するものではない。受信部が信号を受信しない場合は、当該信号が有する指令は認識されずに無視される。
【００１０】
請求項２に記載の発明は、請求項１に記載の換気システムにおいて、前記信号変換装置が前記発信部から発信された換気装置に対する運転開始信号を受信した際に、前記検知手段からの検知信号が信号変換装置に送信されない場合には、前記信号変換装置は、受信した運転開始信号の識別コードをさらに別の識別コードに変換した後、再び受信部に対して識別コードが変換された運転開始信号を発信し、その後、検知手段からの検知信号が信号変換装置に送信されるまで変換後の識別コードを順次変化させながら運転開始信号の発信を繰り返すことが可能であり、一方、前記検知手段からの検知信号が信号変換装置に送信された場合には、前記信号変換装置における変換後の識別コードが、検知手段からの検知信号が信号変換装置に送信された時点の特定の識別コードに決定され、その後、当該信号変換装置は、受信した信号の識別コードを当該特定の識別コードに変換し、特定の識別コードを含む信号を換気装置の受信部に対して発信可能であることを特徴とする。
【００１１】
本発明の換気システムでは、検知手段からの検知信号が信号変換装置に送信されない場合と送信された場合とで、信号変換装置の動作が異なる。すなわち、前者の場合には、その時点の識別コードが受信部が受信可能な識別コードではないと判断し、検知手段からの検知信号が送信されるまで識別コードの変換を繰り返す。一方、検知手段からの検知信号が信号変換装置に送信された場合には、その時点の識別コードが受信部が受信可能な特定の識別コードであると判断し、その後は、受信した信号の識別コードを全て当該特定の識別コードに変換する。本発明の換気システムは上記のような構成を採用したので、信号変換装置における変換後の識別コードを自動的に決定することができる。
【００１２】
請求項３に記載の発明は、請求項１又は２に記載の換気システムにおいて、前記検知手段は、換気装置から発生される音を検知することにより換気装置の作動状態を検知するものであることを特徴とする。かかる構成により、より簡便に換気装置の作動状況を検知することができる。
【００１３】
請求項４に記載の発明は、請求項１又は２に記載の換気システムにおいて、前記換気装置はフードを有し、前記受信部は当該フードに設けられていることを特徴とする。かかる構成により、受信部をより簡便に設けることができる。
【００１４】
請求項５に記載の発明は、請求項１〜３のいずれか１項に記載の換気システムにおいて、前記調理器具は加熱手段を有し、前記発信部は当該加熱手段の運転状況に応じた信号を発信するものであることを特徴とする。かかる構成により、より安全性の高い換気システムが提供される。
【００１５】
請求項６に記載の発明は、請求項１〜４のいずれか１項に記載の換気システムにおいて、前記発信部から発信される信号の識別コードと同一の識別コードを含む信号を発信するリモートコントローラをさらに備え、前記運転開始信号は当該リモートコントローラから発信可能であることを特徴とする。かかる構成により、より簡便に信号変換装置に対して運転開始信号を発信することができる。
【００１６】
請求項７に記載の発明は、請求項１〜６のいずれか１項に記載の換気システムに用いられる信号変換装置であって、前記発信部から発信された信号を受信する信号変換装置第一受信部と、信号変換装置第一受信部で受信された信号の識別コードを他の識別コードに順次変換する制御部と、制御部で識別コードが変換された信号を換気装置の受信部に対して順次発信する信号変換装置発信部と、前記検知手段からの検知信号を受信する信号変換装置第二受信部とを有し、信号変換装置第二受信部で受信された検知信号に基づいて、制御部における変換後の識別コードを決定可能であることを特徴とする信号変換装置である。
【００１７】
本発明の信号変換装置は本発明の換気システムに用いられるものであり、信号変換装置第一受信部と、制御部と、信号変換装置発信部と、信号変換装置第二受信部とを有する。そして、信号変換装置第一受信部と、制御部と、信号変換装置発信部との組み合わせで、受信した信号の識別コードとは別の識別コードを含む信号を作製及び発信する。また、信号変換装置第二受信部と制御部との組み合わせで、変換後の識別コードを決定する。本発明の信号変換装置によれば、調理器具と換気装置のメーカーが異なる等の理由で発信側と受信側の識別コードが一致しない換気システムを、機器の再調整や部品交換を行うことなく使用可能な状態にすることができる。
【発明の効果】
【００１８】
本発明の換気システムによれば、調理器具と換気装置のメーカーが異なる等の理由で発信側と受信側の識別コードが一致しない場合であっても、機器の再調整や部品交換を行うことなく使用可能な状態にすることができる。
【００１９】
本発明の信号変換装置についても同様であり、発信側と受信側の識別コードが一致しない換気システムを、機器の再調整や部品交換を行うことなく使用可能な状態にすることができる。
【発明を実施するための最良の形態】
【００２０】
以下、本発明の実施形態について、図面を参照しながら説明する。図１は、本発明の実施形態の換気システムの概要を示す斜視図である。図２は、信号変換装置の構成を示す説明図である。
【００２１】
図１に示す換気システム１は、調理器具２と換気装置３とを中心に構成されるものである。調理器具２は加熱調理を行うためのものであり、ガスコンロやＩＨヒータに相当する３個の加熱手段６を備えている。すなわち、本実施形態においては、調理機器２の運転とは加熱手段６の運転を意味する。調理器具２には操作ノブ７が設けられており、操作ノブ７の開閉により加熱手段６の運転開始、運転時の出力調節、運転停止等の各操作が行われる。
【００２２】
調理器具２には信号を発信する発信部１０が設けられている。発信部１０は所定の識別コードを含む赤外線信号を発信するものである。さらに、操作ノブ７の開閉状況の情報が発信部１０に送信されており、発信部１０は当該情報に基づいて加熱手段６の運転状況に応じた信号を送信することができる。より具体的には、発信部１０から発信される信号は、換気装置３に対する運転開始、運転停止、換気速度調整等の指令をする信号であり、当該指令は加熱手段６の運転状況に応じた指令、すなわち、加熱手段６の運転開始に伴って換気装置３に対する運転開始信号を発信し、加熱手段６の運転停止に伴って換気装置３に対する運転停止信号を発信するものである。
【００２３】
換気装置３は、換気扇１１と、換気扇１１を囲むフード１２を中心に構成されている。フード１２の前面の裏側には受信部１５が設けられており、受信部１５で受信した信号により換気扇１１の動作が制御される。受信部１５が受信可能な信号の識別コードは、調理機器２の発信部１０から発信される信号の識別コードと異なる。換気装置３においては、さらに、換気扇１１の下の壁面に照明１６が設けられている。照明１６は換気扇１１の運転に連動して動作する。
【００２４】
本実施形態の換気システム１は、さらに信号変換装置５を備える。信号変換装置５の構成は図２に示すとおりであり、信号変換装置第一受信部、制御部、信号変換装置発信部、及び、信号変換装置第二受信部からなる。信号変換装置５は、発信部１０からの信号を信号変換装置第一受信部にて受信し、制御部にて当該信号の識別コードを別の識別コードに変換した後、信号変換装置発信部から識別コードが変換された信号を受信部１５に対して送信するものである。信号変換装置第二受信部は、後述のマイクロホン８からの検知信号を受信するものである。信号変換装置第一受信部で受信された信号の識別コードを制御部で変換する際の変換後の識別コードは複数あり、制御部は各々の識別コードに順次切り替えることができる。具体例を挙げると、識別コードがＡ0の信号を受信した場合、信号変換装置５の制御部は当該信号の識別コードＡ0をＡ1，Ａ2，Ａ3，・・・，Ａnと複数の識別コードに順次変換でき、信号変換装置発信部は識別コードがＡ1，Ａ2，Ａ3，・・・，Ａnである各々の信号を順次発信できる。本実施形態では、信号変換装置５は調理器具２と換気装置３との間の壁に設置されている。
【００２５】
換気システム１は、マイクロホン（検知手段）８をさらに備える。マイクロホン８は換気装置３の換気扇１１が回転時に発生する音を検知し、当該検知信号を信号変換装置５の信号変換装置第二受信部（図２）に送信するものである。
【００２６】
本実施形態の換気システム１は、さらにリモートコントローラ１８を備える。リモートコントローラ１８は、調理機器２の発信部１０が発信する信号の識別コードと同一の識別コードを含む信号を発信できるものである。すなわち、信号変換装置５が受信する信号には、発信部１０が発信する信号と、リモートコントローラ１８が発信する信号の両方が含まれる。
【００２７】
本実施形態の換気システム１の作用を説明する。本実施形態の換気システム１においては、調理器具２が備える発信部１０から発信される信号の識別コードＡ0が、換気装置３が備える受信部１５が受信可能な信号の識別コードＡxと異なる。したがって、受信部１５は発信部１０から発信される信号を直接受信することができない。しかし、信号変換装置５の作用により、受信部１０からの信号の識別コードＡ0が受信部１５が受信可能な識別コードＡxに変換され、その結果、受信部１５が発信部１０からの信号を間接的に受信することができる。また、受信部１５が受信可能な識別コードＡxが信号変換装置５とマイクロホン８の作用によって候補の識別コードＡn（ｎ＝１，２，３，・・・）の中から自動的に検索され、所望の識別コードＡxが見つかった段階で検索を中止し、その後、信号変換装置５は受信した信号の識別コードＡ0を全て識別コードＡxに変換する。
【００２８】
本実施形態の換気システム１の具体的な動作は以下のとおりである。まず、換気システム１が据え付けられ、まだ全く動作させていない状態で、調理機器２の発信部１０又はリモートコントローラ１８から換気装置３に対する運転開始信号を発信する。この運転開始信号は所定の識別コードＡ0を含んでいる。なお、調理機器２の発信部１０から運転開始信号を発信させる場合には、操作ノブ７を操作して加熱手段６の運転を開始すればよい。一方、リモートコントローラ１８から運転開始信号を発信させる場合には、リモートコントローラ１８に設けられた運転開始ボタンを押せばよい。発信部１０又はリモートコントローラ１８から運転開始信号が発信されると、当該信号は信号変換装置５に受信される。より詳しくは、信号変換装置５の信号変換装置第一受信部に受信される。信号変換装置５に受信された運転開始信号は、信号変換装置５内の制御部において識別コードＡ0が別の識別コードＡ1に変換され、続いて、信号変換装置発信部から識別コードＡ1を含む運転開始信号が換気装置３の受信部１５に対して発信される。
【００２９】
ここで、発信された運転開始信号の識別コードＡ1が受信部１５が受信可能な識別コードＡxに一致しない場合には、受信部１５は運転開始信号を受信せず、当該信号は無視される。すると、換気装置３の換気扇１１は運転を開始しない（回転しない）ので動作音が発生せず、マイクロホン８は音を検知しない。よって、マイクロホン８の検知信号は信号変換装置５に送信されない。一定時間内にマイクロホン８からの検知信号を信号変換装置第二受信部で受信しなかった信号変換装置５は、発信部１０又はリモートコントローラ１８から受信した運転開始信号の識別コードＡ0をさらに別の識別コードＡ2に変換し、さらに識別コードＡ2を含む運転開始信号が換気装置３の受信部１５に対して発信される。
【００３０】
ここで、発信された運転開始信号の識別コードＡ2が受信部１５が受信可能な識別コードＡxに一致しない場合には、同じサイクルを繰り返す。すなわち、マイクロホン８からの検知信号を受信しなかった信号変換装置５は、受信した運転開始信号の識別コードＡ0をまたさらに別の識別コードＡ3に変換し、識別コードＡ3を含む運転開始信号が換気装置３の受信部１５に対して発信される。その後、同じサイクルを繰り返すことにより、識別コードＡn（ｎ＝１，２，３，・・・）の中から受信部１５が受信可能な識別コードＡxを選抜する。この検索サイクルは、最初に発信部１０又はリモートコントローラ１８から運転開始信号を発信した後は、特別の操作を必要とせず自動的に進行する。
【００３１】
上記の識別コードＡ1が識別コードＡxと一致した場合、あるいは、上記した検索サイクルを繰り返して識別コードＡxに遭遇した場合には、受信部１５が運転開始信号を受信する。そして、当該信号を受けて、換気装置３の換気扇１１が運転（回転）を開始する。すると、回転する換気扇１１から動作音が発生し、その音を調理機器２に設けられたマイクロホン８が検知する。マイクロホン８が検知した検知信号は直ちに信号変換装置５へ送信され、信号変換装置第二受信部（図２）が検知信号を受信し、信号変換装置５に当該サイクルの識別コードＡnが所望の識別コードＡxと一致したことが伝達される。そして、信号変換装置５は変換後の識別コードをＡxに決定し、その後は受信した信号の識別コードＡ0を全て識別コードＡxに変換し、受信部１５に対して送信するようになる。なお、受信部１５が運転開始信号を受信してから信号変換装置５が変換後の識別コードをＡxに決定するまでの工程は、特別の操作を必要とせず自動的に進行する。
【００３２】
このように、本実施形態の換気システム１においては、据付時に調理機器２の発信部１０又はリモートコントローラ１８から運転開始信号を発信するだけで、換気装置３の受信部１５が受信可能な信号の識別コードを自動的に選抜及び決定し、換気装置３が調理機器２に連動して動作する状態、すなわち使用可能な状態にすることができる。なお、使用可能な状態になった後の換気システム１においては、換気装置３を調理機器２に連動して動作させることもできるし、リモートコントローラ８を操作して動作させることもできる。
【００３３】
本実施形態ではマイクロホン８が調理機器２上に設けられていたが、マイクロホン８は別の場所に設けられていてもよい。例えば、信号変換装置５にマイクロホン８が内蔵される構成も好ましく採用される。この構成によれば、調理機器２と換気装置３とがすでに設置された状態であっても、信号変換装置５を後から設置することで、換気システム１を使用可能な状態にすることができる。なお、信号変換装置５にマイクロホン８が内蔵される場合には、マイクロホン８からの検知信号が極めて短い距離をもって信号変換装置５に送信されることとなる。
【００３４】
本実施形態では、発信部１０における加熱手段６の運転状況の把握を、操作ノブ７の開閉状況から行っていたが、加熱手段６の出力を直接検知して加熱手段６の運転状況の把握を行ってもよい。
【００３５】
本実施形態では、換気扇１１が回転時に発生する動作音をマイクロホン８で検知することにより換気装置３の動作の有無を検知したが、他の手段により検知するものであってもよい。例えば、換気扇１１が回転したときに必ず照明１６が点灯する構成とし、照明１６の点灯の有無を検知することで、換気装置３の動作の有無を検知することができる。
【図面の簡単な説明】
【００３６】
【図１】本発明の実施形態の換気システムの概要を示す斜視図である。
【図２】信号変換装置の構成を示す説明図である。
【符号の説明】
【００３７】
１  換気システム
２  調理器具
３  換気装置
５  信号変換装置
６  加熱手段
８  マイクロホン（検知手段）
１０  発信部
１２  フード
１５  受信部
１８  リモートコントローラ
【図１】
2008025964.tif 000003
【図２】
2008025964.tif 000004